(57)【要約】  編機のカムボックス（３）内で摺動可能であり、編機のノックオーバーカム（２）を支持するスライダ（７）と連結された動作調節機（１０）を備えた靴下類用の編機、特に円形編機のステッチ緊密度を変更する装置。この運動調節機（１０）は、調節カム（１２）と連結されており、調節カム（１２）をその回転軸（１２ａ）回りに所定の角度だけ回転させるように作用し得るアクチュエータ（１１）を備えている。調節カム（１２）は、単一の外部作用面（１３）を有しており、二つのカムフォロア（１４ａ、１４ｂ）は、調節カム（１２）の作用面（１３）と離間した２点で接触し、調節カム（１２）との双方向からの結合の確立において協働するためにスライダ（７）上に配置されている。
2005513281.tif 000002
【特許請求の範囲】
【請求項１】
編機のニードルホルダ（４）に対向するカムボックス（３）の一部に支持されたノックオーバーカム（２）を備え、該ノックオーバーカム（２）は、前記カムボックス（３）に対する前記ニードルホルダ（４）の運動方向（３０）に対して傾くと共に、前記ニードルホルダ（４）から前記カムボックス（３）に向けて突出する編針（５）又は編針プッシャの踵部（５ａ）と係合可能な形状を有しており、前記ニードルホルダ（４）は、前記カムボックス（３）との対向面上に前記運動方向（３０）と実質的に垂直に設けられた複数のスロット（６）を有し、夫々のスロット（６）は、対応するスロット（６）に沿って摺動可能な編針（５）を収容しており、前記ノックオーバーカム（２）の形状は、編機のフィードにより編針（５）が糸を引っ掛けた後、新しい編み目のループを形成するために、前記ニードルホルダ（４）の対応するスロット（６）に沿った編針（５）の運動を生じさせるために適しており、前記ノックオーバーカム（２）は、前記運動方向（３０）に対して垂直な少なくとも一つの成分である調節方向（８）に摺動可能に支持されたスライダ（７）に取り付けられており、前記カムボックス（３）と結合され、前記調節方向（８）に沿った運動のために前記スライダ（７）と連結された調節手段（１０）を備える靴下類用の編機、特に円形編機のためのステッチ緊密度を変更する装置であって、
前記調節手段（１０）は、調節カム（１２）と連結され、該調節カム（１２）をその軸（１２ａ）回りに所定の角度だけ回転させるように働かせ得るアクチュエータ（１１）と、単一の外部作用面（１３）を有する前記調節カム（１２）と、前記スライダ（７）上に配置され、前記作用面（１３）と離間した２点で接触させてあり、前記調節カム（１２）と双方向からの結合を確立するために協働する２つのカムフォロア（１４ａ，１４ｂ）とを備えることを特徴とする靴下類用の編機、特に円形編機のステッチ緊密度を変更する装置。
【請求項２】
前記接触点（１４ａ，１４ｂ）は、調節カム（１２）の回転軸（１２ａ）を通り、前記調節方向（８）に垂直な仮想平面を挾んだ両側に配置されていることを特徴とする請求項１に記載の装置。
【請求項３】
前記調節カム（１２）の作用面（１３）は凸面であることを特徴とする請求項１に記載の装置。
【請求項４】
前記調節カム（１２）の作用面（１３）は、前記調節カム（１２）の回転軸（１２ａ）を通る仮想平面を挾んで対称形であることを特徴とする請求項１乃至請求項３のいずれかに記載の装置。
【請求項５】
前記２つのカムフォロア（１４ａ，１４ｂ）は、前記調節カム（１２）の回転軸（１２ａ）に対して平行をなす軸（１８ａ，１８ｂ）を有し、夫々の軸（１８ａ，１８ｂ）回りに回動可能なように前記スライダ（７）に支持された２つのローラーを備えていることを特徴とする請求項１乃至請求項４のいずれかに記載の装置。
【請求項６】
前記ローラー（１４ａ，１４ｂ）の軸（１８ａ，１８ｂ）を、前記ローラー（１４ａ，１４ｂ）の軸（１８ａ，１８ｂ）の方向と直角に結んだ線分（Ａ）は，前記調節カム（１２）の回転軸（１２ａ）を通ることを特徴とする請求項１乃至請求項５のいずれかに記載の装置。
【請求項７】
前記ローラー（１４ａ，１４ｂ）の中心間距離は一定であり、調節カム（１２）の前記作用面（１３）は、前記ローラー（１４ａ，１４ｂ）の双方と常に確実な接触を保つように形成されていることを特徴とする請求項１乃至請求項６のいずれかに記載の装置。
【請求項８】
前記ローラー（１４ａ，１４ｂ）の中心間距離を調整する手段（２０）を備えることを特徴とする請求項１乃至請求項７のいずれかに記載の装置。
【請求項９】
前記ローラーの一方（１４ａ）は、前記スライダ（７）の一部（７ｂ）に取り付けられており、この一部は、他方のローラー（１４ｂ）を支持する前記スライダ（７）の一部（７ａ）に対する相対位置を、前記ローラー（１４ａ，１４ｂ）の軸（１８ａ，１８ｂ）を通る平面に対して平行をなす方向に沿って調整可能であることを特徴とする請求項１乃至請求項８のいずれかに記載の装置。
【請求項１０】
前記調節カム（１２）の回転により引き起こされ、前記調節方向（８）に沿って前記カムボックス（３）に対して生じる前記スライダ（７）の動きを検出する手段（２１）を備えることを特徴とする請求項１乃至請求項９のいずれかに記載の装置。
【発明の詳細な説明】
【技術分野】
【０００１】
本発明は、靴下類用の編機、特に円形編機のステッチ緊密度を変更する装置に関する。
【背景技術】
【０００２】
周知のとおり、靴下類用の円形編機は、ニードルシリンダ及び／又はダイアルにより構成されたニードルホルダを一般に備えており、このニードルホルダは、編機の運転中に編針を働かせるための複数のカムを支持するカムボックスと対向している。
【０００３】
より具体的には、ニードルホルダのカムボックスとの対向面には、ニードルホルダがニードルシリンダにより構成されている場合にはニードルシリンダの軸方向と平行をなし、また、ニードルホルダがシリンダ・ダイアル円形編機のダイアルにより構成されている場合にはダイアルの軸の周囲に放射状に配置されている多数のスロットが設けられている。夫々のスロットの内部には、編み目を形成すべく対応するスロットに沿って摺動可能な編針が存在する。編針は、カムボックスのカムにより直接的に、または、当該編針を収容するニードルホルダの同一スロット内に夫々配置された編針プッシャを介して働かせることができる。編針は、場合によっては編針及び編針プッシャは、ニードルホルダからカムボックスに向けて突出し、カムによって形成される運動経路内で係合することが可能な踵部を有している。ニードルホルダは、編機の運転中、編針又は編針プッシャの踵部が前記運動経路内で係合するように、カムボックスに対して一方向の動きを生じさせる。運動経路は、ニードルホルダの対応するスロットに沿った編針の往復運動を生じさせるために前記動きの方向に対して適切に傾けられた部分を有している。この往復運動により編針は、編機の１回のフィード又はドロップにおいて供給される糸を引っ掛け、編み目のループを形成する。
【０００４】
編機の１フィードにおいて供給される糸に編針が係合された後に編針を動かすカムは、ノックオーバーカムとして知られている。このカムは、編針の部位に糸が係合している間に、編針の開いたラッチよりも下に以前に形成された編み目のループが位置している場合に、このループをノックオーバーして編み目の新しいループを形成するような編針の動きを生ぜしめるからである。
【０００５】
ノックオーバーカムは、編針又は編針プッシャの踵部と係合可能であり．また編針の上記のような動きを達成するためにカムボックスに対してニードルホルダが動く方向に対して傾斜させられた形状を有している。
【０００６】
前記ノックオーバーカムは、編機のフィード又はドロップ位置の直後に配されており、ドロップ又はフィード位置にて糸を引っ掛けるために編針が引き出された後、ニードルシリンダの側面又はダイアルの内部に形成されたスロットの内側に前記編針を引き込む機能を有する。
【０００７】
多くの靴下編機においてノックオーバーカムは、夫々の段階にてこのカムと係合する編針又は編針プッシャを収容するニードルホルダのスロットの延長線と平行をなす調節の方向に沿って、カムボックスに対して移動可能なスライダに取り付けられており、新しい編み目のループが形成される間に編針の動き量を変化させて、それにより編み目のループの長さを変化させるようになしてある（例えば特許文献１参照）。
【０００８】
スライダの動きと、これによるカムボックスに対するノックオーバーカムの動きとは、多くの場合、例えばステップモータのような電動モータによって一般的に構成されるアクチュエータによって実現される。このアクチュエータは、その出力軸によって、スライダと結合されたカムフォロアにその表面を作用する調節カムと連結されている。作動時において、調節カムがその軸回りに所定の角度だけ回転した場合、この調節カムの作用面の形状によってスライダが動き、これによりノックオーバーカムがカムボックスに対して動き、ノックオーバーカムの位置が、カムボックスに対するニードルホルダの移動の方向と直角である調節方向に沿って変化し、これにより、ノックオーバーカムによって生成される編針の動きの量が、ニードルホルダの対応するスロットに沿って変化し、結果として編み目の緊密度が変化する。
【特許文献１】欧州特許第１０５４０９０号
【発明の開示】
【発明が解決しようとする課題】
【０００９】
いくつかの装置においては、ノックオーバーカムを支持するスライダに結合されたカムフォロアと調節カムの表面との接触が、空圧式プッシャ又はバネにより維持されている。編み目の緊密度の最大限に正確な調節を達成するためには、カムフォロアは、調節カムの表面から決して離反してはならない。この理由により、ノックオーバーカムの表面に対してカムフォロアを押し付けるバネの負荷、又は空圧式プッシャの圧力を大きくする傾向がある。調節カムの表面とカムフォロアの間の遊びの発生を防ぐことを目的とするこの方法は、調節カムの回転を妨げ、また編み目の緊密度を変化させる速度を減じるコントラストトルクが増大するという問題を有しており、この問題を解決するためには、調節カムを駆動するより強力な電動モータを使用することが必要である。
【００１０】
カムフォロアと調節カムの表面との間の遊びの排除の問題を解決するため、一体に形成され、同軸に回転し、また二つのカムフォロアと係合する二つの調節カムを採用することが提案されている。この場合、カムフォロアはスライダに結合されており、調節カムの回転軸を通り、調節方向に対して垂直な仮想平面を挾んだ両側に位置する２点で調節カムの２つの表面と接触させてある。このようにすると、カムフォロアと調節カムの表面との間に双方向からの結合が得られ、カムフォロアとノックオーバーカムの表面との接触を維持するための弾性又は空圧手段に頼ることなく、全ての遊びを排除することができる。
【００１１】
この方法は、調節カムの２つの離れた表面に非常に高い精度の加工が要求されるという問題があり、特に、二つのカムの共通の回転軸回りでの表面の動きを同調させることが困難となる。
【００１２】
一つの選択肢として、スライダと結合された二つのカムフォロアと連動する外表面と内表面とを有する単一のカムを採用することも提案されている。
２つの表面は、２つのカムフォロアの軸間距離を一定に保つために備えられる。
【００１３】
この方法は、外表面に凸面形状が、また内表面に凹面形状が要求されるという問題がある。特に、凹表面の形状は、加工がより困難であることに加えて、表面の湾曲形状、この表面と係合されるべきカムフォロアの寸法、及び前記表面を切削する工具に大きな制限を受ける。
【００１４】
本発明の目標は、靴下類用の編機、特に円形編機のステッチ緊密度を変更する装置であって、特に簡易に製造でき、またステッチの緊密度の変更が非常に正確である調節カムを使用する形式の装置を提供することにより、上述した問題を解決することにある。
【００１５】
この目標の範囲内での本発明の目的は、調節カムの表面が簡易に提供でき、カムフォロアに関し、またカムを供給する切削工具に関して特別の制限が不要である装置を提供することにある。
【００１６】
本発明の他の目的は、カムフォロアと調節カムとの接触を維持するための弾力式又は空圧式プッシャの使用を避けることにより、調節カムを動作させるために、及び／又は調節カムの動作速度を増大させるために低動力のアクチュエータの使用を可能とする装置を提供することにある。
【００１７】
本発明の他の目的は、構造上単純であり、また運転における信頼性が高い装置を提供することにある。
【課題を解決するための手段】
【００１８】
この目標、並びに前記目的及び以下に明らかになるその他の目的は、編機のニードルホルダに対向するカムボックスの一部に支持されたノックオーバーカムを備え、該ノックオーバーカムは、前記カムボックスに対する前記ニードルホルダの運動方向に対して傾くと共に、前記ニードルホルダから前記カムボックスに向けて突出する編針又は編針プッシャの踵部と係合可能な形状を有しており、前記ニードルホルダは、前記カムボックスとの対向面上に前記運動方向と実質的に垂直に設けられた複数のスロットを有し、夫々のスロットは、対応するスロットに沿って摺動可能な編針を収容しており、前記ノックオーバーカムの形状は、編機のフィードによりそれらが糸を引っ掛けた後、新しい編み目のループを形成するために、前記ニードルホルダの対応するスロットに沿った編針の運動を生じさせるために適しており、前記ノックオーバーカムは、前記運動方向に対して垂直な少なくとも一つの成分である調節方向に摺動可能に支持されたスライダに取り付けられており、前記カムボックスと結合され、前記調節方向に沿った運動のために前記スライダと連結された調節手段を備えており、前記調節手段は、調節カムと連結され、該調節カムをその軸回りに所定の角度だけ回転させるように働かせ得るアクチュエータと、単一の外部作用面を有する前記調節カムと、前記スライダ上に配置され、前記作用面と離間した２点で接触させてあり、前記調節カムと双方向からの結合を確立するために協働する２つのカムフォロアとを備えることを特徴とする靴下類用の編機、特に円形編機のステッチ緊密度を変更する装置によって達成される。
【００１９】
発明の更なる特徴及び利点は、添付の図面に非限定的な例としてのみ図示され、好適ではあるが排他的ではない本発明に係る装置の実施の形態の説明からより明らかになるであろう。
【発明を実施するための最良の形態】
【００２０】
図面を参照して、参照符号１により全体的に示された本発明に係る装置は、この装置が取り付けられた靴下編機のニードルホルダ４に対向するカムボックス３の一部に支持されたノックオーバーカム２を備えている。
【００２１】
ノックオーバーカム２は、カムボックス３に対するニードルホルダ４の運動方向３０に対して傾けられた表面を有している。この表面は、ニードルホルダ４からカムボックス３に向けて突出する編針５又は編針プッシャの踵部５ａと係合可能である。
【００２２】
ニードルホルダ４は、カムボックス３に対向する面上に、ニードルホルダ４のカムボックス３に対する運動方向３０と実質的に垂直に延びる複数のスロット６を有している。夫々のスロットは、対応するスロット６に沿って摺動可能な編針５を収容している。
【００２３】
ノックオーバーカム２の表面は、ノックオーバーカム２に対するニードルホルダ４の動きの結果として、編機のフィードにより糸を引っ掛けた後のニードルホルダの対応するスロット６に沿った針５の動きが、以前の糸の係合ステップの間に、先に形成された編目のループが編針の開いたラッチの下の編針の幹部に移送されている場合に、この編目のループを新しい編み目のループを形成するためにノックオーバーするのに適合するように製作されている。
【００２４】
円形靴下編機に搭載されるべく設計された装置を表す図示された実施の形態において、図示されたニードルホルダ４は、編機のニードルシリンダにより構成されている。このニードルシリンダは、鉛直軸を有しており、カムボックス３、即ち、ノックオーバーカム２に対して自身の軸回りに回転駆動され得る。
【００２５】
夫々が編針５を、場合によっては、明瞭化のために示されていない編針プッシャと共に収容するスロット６は、ニードルシリンダ４の側壁に、その軸と平行に設けられている。      
【００２６】
ノックオーバーカム２は、調節方向８に沿って摺動可能に支持されたスライダ７に固定されている。調節方向は、ノックオーバーカム２に対するニードルホルダ４の運動方向３０に垂直である少なくともひとつの成分を有している。図示の実施の形態では、スライダ７は、ニードルシリンダ４の軸と平行な調節方向８に沿ってカムボックス３に対して摺動可能である。
【００２７】
この装置は、カムボックス３と結合され、またカムボックス３に対して調節方向８に沿って移動させるためにスライダ７と連結された調節手段１０を備えている。
【００２８】
本発明によれば、前記調節手段は、調節カム１２と連結され、また調節カム１２をその軸１２ａ回りに所定の角度だけ回転させるために働かせ得るアクチュエータ１１を備えている。
【００２９】
調節カム１２は単一の外部作用面１３を有している。またスライダ７上には、離間した２点において作用面１３と接触させてある２つのカムフォロア１４ａ及び１４ｂが配置さている。該カムフォロア１４ａ及び１４ｂは、調節カム１２と双方向からの結合を確立するために協働する。
【００３０】
好適には、カムフォロア１４ａ，１４ｂの作用面１３との接点は、調節カム１２の回転軸１２ａを通り、調節方向８と垂直な仮想平面を挾んだ両側に配置されている。
【００３１】
調節カム１２の作用面１３は、好ましくはその全長にわたって凸面であり、また調節カム１２の回転軸１２ａを通る仮想平面を挾んで対称形である。
【００３２】
より詳細には、アクチュエータ１１は、カムボックス３の一部に支持され、またその出力軸１１ａによって調節カム１２に固定されたステップモータにより好ましくは構成されている。調節カム１２は、自身の軸１２ａ回りに回転可能なように、カムボックス３の同じ部位にベアリング１５によって支持されている。
【００３３】
カムフォロア１４ａ，１４ｂは、好ましくはローラ、又はより適切にはベアリングにより構成されている。これらのローラは、軸１２ａと平行な軸１８ａ，１８ｂを有し、これらの軸１８ａ，１８ｂ回りに回転可能なように、スライダ７によって支持されている。
【００３４】
前記ローラーの軸１８ａ，１８ｂを、これらの軸１８ａ，１８ｂと直角に結んだ線分Ａは，調節カム１２の回転軸１２ａを通っている。
カムフォロアを構成するローラーの中心間距離は一定であり、調節カム１２の作用面１３は双方のローラーと常に確実な接触を保つように形成されている。
【００３５】
好ましくは、組立中又はその後に、カム１２の作用面１３とカムフォロア１４ａ，１４ｂとの間のあらゆる遊びをも排除するためにローラー又はカムフォロア１４ａ，１４ｂの中心間距離を調節する手段を設ける。
【００３６】
より詳細には、スライダ７は、ノックオーバーカム２及びカムフォロア１４ｂが搭載される第一の部分７ａと、他方のカムフォロア１４ａが搭載される第二の部分７ｂとの２つの部分に形成される。第二の部分７ｂは、固定ねじ１９により第一の部分７ａに固定されており、その軸は、軸１８ａ，１８ｂを通る平面に平行である。スライダ７の第二の部分７ｂは、固定ねじ１９の緩めに続いて、第一の部分７ａに対して軸１８ａ，１８ｂを通る平面に平行な方向に動かすことができ、カムフォロア１４ａ，１４ｂの中心間距離を高い精度で調整し、場合によっては予圧を加えるために、固定ねじ１９の締め付け前に、適切に寸法調整されたシム２０を部分７ａと部分７ｂとの間に挿入することができる。
【００３７】
この装置は、スライダ７の動き、即ち、自身の軸１２ａ回りの調節カム１２の回転により引き起こされ、調節方向８に沿ってカムボックス３に対して生じるノックオーバーカム２の動きを検出する手段２１によって完成する。
【００３８】
前記検出手段は、図により容易に理解されるとおり、調節方向８と平行な方向に移動可能であり、スライダ７の一部２２に連結された要素２１ａを備え、カムボックス３の同じ部分に搭載され、それ自体知られた方法であるリニア・トランスデューサにより構成されることができる。
【００３９】
記述の完全化のために、補助カム２３がスライダ７に固定され、その表面がノックオーバーカム２に対向していることが付記されねばならない。
【００４０】
本発明に係る装置の動作は次のとおりである。
編み目の緊密度の変更を希望する場合、アクチュエータ１１を作動させればよく、調節カム１２が自身の軸１２ａ回りに所定の角度だけ回転し、その作用面１３の形状の結果として、調節方向８に沿ったスライダ７の動きが生じる。
【００４１】
調節のために調節カム１２は、常に同じ方向、又は相反する方向に等しく回転させることができることが付記されるべきである。
本発明に係る装置は、単一の外部作用面を有する調節カムによってノックオーバーカムの位置が調節可能であり、また比較的簡単な方法により、カムの表面の湾曲半径及びカムフォロアの寸法に関する特段の制限なしに提供され得るという事実によって、意図する目標を十分に達成することが実際に確かめられた。
【００４２】
この装置は、円形靴下編機のニードルシリンダに適用例として図示されているが、シリンダ・ダイアル形の円形編機におけるダイアルへの適用もまた可能である。この場合においては、ダイアルによって構成されるニードルホルダに向けられているノックオーバーカム２の面は、実質的に平坦面となる。
同様に、本発明に係る装置は直線編機に使用されることもまた可能である。
【００４３】
このように発案された本装置には、その全てが添付した請求の範囲内にある多くの修正及び変更を加えることができ、また細部の全ては、更に他の技術的に等価な要素に置き換えても良い。
実際に、使用される材料、同じくその寸法は、技術の状態及び必要に応じて如何なるものにしても良い。
【００４４】
本出願が優先権を主張するイタリア特許出願第ＭＩ２００１Ａ００２６５０号における開示内容は、参照してここに盛り込まれる。
【図面の簡単な説明】
【００４５】
【図１】円形靴下編機に使用される本発明の装置の部分断面側面図である。
【図２】図１の装置の上面図である。
【図３】図１のIII−III線に沿って描かれた断面図である。
【図４】図１のIV−IV線に沿って描かれた断面図である。
【図５】図３のＶ−Ｖ線に沿って描かれた断面図である。
【図１】
2005513281.tif 000003
【図２】
2005513281.tif 000004
【図３】
2005513281.tif 000005
【図４】
2005513281.tif 000006
【図５】
2005513281.tif 000007
【国際調査報告】
2005513281.tif 000008
2005513281.tif 000009